(57)【要約】      （修正有）【課題】固定式手すりに対して可動部材を回動させることができず、可動部材から延び出ている手すりも固定式手すりに対して動かない、固定式手すりに対して好ましい方向に延び出させたこの手すりを握ると、上がり下がりや立ち座りの動作を安全に行うことができる手すりを提供する。【解決手段】壁面Ｂに取り付けられている垂直方向の固定式手すり１に装着・固定させ得る固定部材２と、固定式手すり１に回動自在に装着させ得るものであって、固定部材２に上下方向からの凹凸嵌合を係脱させ得る可動部材３とからなる。可動部材３には、垂直方向の固定式手すり１に対して交差する方向に延び出る手すり４を取り付ける。【選択図】図１
2012144878.tif 000002
【特許請求の範囲】
【請求項１】
壁面に取り付けられている垂直方向の固定式手すりに装着・固定させ得る固定部材と、前記固定式手すりに回動自在に装着させ得るものであって、前記固定部材に上下方向からの凹凸嵌合を係脱させ得る可動部材とからなり、前記可動部材には前記垂直方向の固定式手すりに対して交差する方向に延び出る手すりを取り付けたことを特徴とする可動式手すり。
【請求項２】
固定部材と可動部材との間にスペーサを装着し、このスペーサに設けた囲い部材で固定部材と可動部材との凹凸嵌合部分を覆い隠すことを特徴とする請求項１記載の可動式手すり。
【請求項３】
固定部材の内面に摩擦板を装着し、この摩擦板を固定式手すりに押し付けてその摩擦で固定部材を固定式手すりに装着・固定させたことを特徴とする請求項１または２記載の可動式手すり。
【請求項４】
囲い部材に、固定部材と可動部材との上下方向からの凹凸嵌合部分を嵌合させるための孔が形成され、この孔を介して固定部材と可動部材とが上下方向から凹凸嵌合することを特徴とする請求項２記載の可動式手すり。
【請求項５】
摩擦板の外側に押え板を備え、さらにその外側に前記押え板を押え付ける止めねじを備えたことを特徴とする請求項３記載の可動式手すり。
【発明の詳細な説明】
【技術分野】
【０００１】
本発明は、玄関、トイレ、浴室その他の場所を利用する場合の動作を補助するために用いられる手すりに関し、中でも、可動式のものに関する。
【背景技術】
【０００２】
例えば、高齢者や身体障害者その他手足の弱い者が玄関、トイレ、浴室その他の場所での上がり下がりや立ち座りの動作を行うのを補助するために、従来、これらの場所の壁面に固定式の手すりを設置することが行われている。
【０００３】
固定式の手すりが垂直方向に設置されていると、上がり下がりや立ち座りに握力が必要になるが、水平方向に設置されている場合には、比較的体重をあずけやすいので、前記動作を行いやすい。
【０００４】
一方、上述の固定式の手すりに替えて、近年、手すりを可動式としたものが多数提案されている（例えば、特許文献１〜４参照）。
【先行技術文献】
【特許文献】
【０００５】
【特許文献１】特開２００４−９７４８３号公報
【０００６】
【特許文献２】特開２００８−６７９５６号公報
【０００７】
【特許文献３】特開２００８−６９５８２号公報
【０００８】
【特許文献４】特許第４３９９８５８号公報
【０００９】
これらの可動式手すりは、いずれも、使用前、使用後には邪魔にならないように収納しておくことができ、使用時には前記動作を行いやすい位置まで動かすことができる。
【発明の概要】
【発明が解決しようとする課題】
【００１０】
しかしながら、上述の可動式手すりは、その構造がいずれも複雑であるのみならず、コストの面で好ましくなかった。
本発明は、この可動式手すりの構造をシンプルにすることにより、上記欠点を解消するようにしたものである。
【課題を解決するための手段】
【００１１】
本発明による可動式手すりは、壁面に取り付けられている垂直方向の固定式手すりに装着・固定させ得る固定部材と、前記固定式手すりに回動自在に装着させ得るものであって、前記固定部材に上下方向からの凹凸嵌合を係脱させ得る可動部材とからなり、前記可動部材には前記垂直方向の固定式手すりに対して交差する方向に延び出る手すりを取り付けたものである。
【００１２】
壁面に取り付けられている垂直方向の固定式手すりに装着・固定されている固定部材に、可動部材を上下方向から凹凸嵌合させると、前記固定式手すりに対して可動部材を回動させることができない。したがって、可動部材から延び出ている手すりも前記固定式手すりに対して動くことがなく、前記固定式手すりに対して好ましい方向に延び出させたこの手すりを握ることにより、玄関、トイレ、浴室その他の場所での上がり下がりや立ち座りの動作を安全に行うことができるので、これらの場合の動作補助に適している。
なお、固定部材に可動部材を上下方向から凹凸嵌合させる位置を変えれば、前記手すりを延び出させる方向を自由に変更できる。
【００１３】
一方、壁面に取り付けられている垂直方向の固定式手すりに装着・固定されている固定部材から可動部材を持ち上げ、両者の上下方向からの凹凸嵌合を脱着させると、可動部材を前記固定式手すりに対して自由に回動させることができる。したがって、可動部材から延び出ている手すりを前記固定式手すりに対して好ましい方向に回すだけで、手すりを邪魔にならないように収納することができる。
【００１４】
固定部材と可動部材との間にスペーサを装着し、このスペーサに設けた囲い部材で固定部材と可動部材との凹凸嵌合部分を覆い隠してある。
このようにすると、前記囲い部材で固定部材と可動部材の上下方向からの凹凸嵌合位置を覆い隠すことができるので、手すりを握って前記固定式手すりに対して可動部材を回動させる際にも手指を詰めることがない。
【００１５】
ねじを用いて固定式手すりに固定部材を装着・固定しても良いが、固定部材の内面に摩擦板を装着し、この摩擦板を固定式手すりに押し付けてその摩擦で固定部材を固定式手すりに装着・固定させるのが好ましい。
可動部材から延び出ている手すりを通常の状態で使用している場合には、固定部材は前記摩擦板の摩擦により固定式手すりに装着・固定され、固定部材が妄りに滑り落ちることはない。
【００１６】
一方、ねじを用いて固定式手すりに固定部材が装着・固定されている場合において、可動部材から延び出ている手すりに必要以上の大きな力が掛かると、固定式手すりとの固定状態がいずれかの部分で破壊され、また、この破壊を防止するために、前記ねじの数を増やして固定式手すりに固定部材を装着・固定すると、前記事態は生じないが、前記固定式手すりと壁面との固定状態が破壊されることがある。
これに対して、本発明のように、固定部材を前記摩擦板の摩擦により固定式手すりに装着・固定させた場合には、上記のような事態がいずれも生じることはなく、極めて安全である。
【００１７】
囲い部材に、固定部材と可動部材との上下方向からの凹凸嵌合部分を嵌合させるための孔が形成され、この孔を介して固定部材と可動部材とが上下方向から凹凸嵌合するようにするのが良い。
このようにした場合には、固定部材と可動部材とを上下方向から確実に凹凸嵌合させることができるので、可動部材から延び出ている手すりを確実に固定することができるのみならず、手すりを延び出させる方向を安全に変更することができる。
【００１８】
摩擦板の外側に押え板を備え、さらにその外側に前記押え板を押え付ける止めねじを備えておくと良い。
このようにした場合には、止めねじを締め付けることにより押え板が押されるので、この押え板の内側に位置する摩擦板を確実かつより強い力で固定式手すりに押し付けることができる。したがって、この摩擦板の摩擦により固定部材を固定式手すりに確実かつより強い力で装着・固定できる。
【発明の効果】
【００１９】
請求項１記載の発明によれば、固定式手すりに対して好ましい方向に延び出させた手すりを握ることにより、玄関、トイレ、浴室その他の場所での上がり下がりや立ち座りの動作を安全に行うことができるので、これらの場合の動作補助に適している。また、可動部材から延び出ている手すりを固定式手すりに対して好ましい方向に回すだけで、手すりを邪魔にならないように収納することができる。
【００２０】
請求項２記載の発明によれば、前記囲い部材で固定部材と可動部材の上下方向からの凹凸嵌合位置を覆い隠すことができるので、手すりを握って前記固定式手すりに対して可動部材を回動させる際にも手指を詰めることがない。
【００２１】
請求項３記載の発明によれば、可動部材から延び出ている手すりを通常の状態で使用している場合には、固定部材が妄りに滑り落ちることはなく、また、前記手すりに必要以上の大きな力が掛かると、固定式手すりとの固定状態がいずれかの部分で、あるいは、前記固定式手すりと壁面との固定状態が破壊されることはなく、極めて安全である。
【００２２】
請求項４記載の発明によれば、可動部材から延び出ている手すりを確実に固定することができるのみならず、手すりを延び出させる方向を安全に変更することができる。
【００２３】
請求項５記載の発明によれば、押え板の内側に位置する摩擦板を確実かつより強い力で固定式手すりに押し付けることができるので、この摩擦板の摩擦により固定部材を固定式手すりに確実かつより強い力で装着・固定できる。
【図面の簡単な説明】
【００２４】
【図１】本発明による可動式手すりの一例を示す分解斜視図である。
【図２】本発明による可動式手すりの固定部材を、ねじで垂直方向の固定式手すりに固定した場合を示す図で、(a)は、垂直方向の固定式手すりに装着・固定されている固定部材と可動部材とが上下方向から凹凸嵌合している位置での縦断面図、(b)は、垂直方向の固定式手すりに装着・固定されている固定部材から可動部材を持ち上げ、両者の上下方向からの凹凸嵌合を脱着させた位置での縦断面図である。
【図３】本発明による可動式手すりの固定部材を、止めねじと押え板と摩擦板とで垂直方向の固定式手すりに固定した場合を示すもので、(a)はその横断面図、(b)は縦断面図である。
【図４】図３に示す方式で、固定部材を垂直方向の固定式手すりに固定した場合を示す図で、(a)は、垂直方向の固定式手すりに装着・固定されている固定部材と可動部材とが上下方向から凹凸嵌合している位置での縦断面図、(b)は、垂直方向の固定式手すりに装着・固定されている固定部材から可動部材を持ち上げ、両者の上下方向からの凹凸嵌合を脱着させた位置での縦断面図である。
【図５】本発明による可動式手すりの使用状態の一例を示す概略斜視図で、(a)は手すりを壁面に沿うように収納した状態を、(b)は手すりを固定式手すりに対して好ましい方向に延び出させた状態を示す。
【発明を実施するための形態】
【００２５】
本発明による可動式手すりの一例を、図１〜図５に基いて説明する。
本発明による可動式手すりＡは、基本的には、図１に示すように、玄関、トイレ、浴室その他の場所の壁面Ｂに取り付けられている垂直方向の固定式手すり１に装着・固定させ得る固定部材２と、前記固定式手すり１に回動自在に装着させ得るものであって、前記固定部材２に上下方向からの凹凸嵌合を係脱させ得る可動部材３とからなっている。そして、前記可動部材３には前記垂直方向の固定式手すり１に対して交差する方向に延び出る手すり４が取り付けられている。
【００２６】
ここでは、前記固定部材２の円周方向に４つの突起２ｂ、２ｂを均等に配置し、各突起２ｂ、２ｂ間を凹部２ａ、２ａとするとともに、前記可動部材３の下面３ｂに、前記凹部２ａ、２ａに嵌合する４つの凸部３ａ、３ａを形成した場合を例示する。そして、前記凹部２ａ、２ａと前記凸部３ａ、３ａとの上下方向からの凹凸嵌合と両者の脱着とにより、前記固定部材２と前記可動部材３とを係脱させることができる。
なお、前記凹部と凸部とを形成する位置は、上記の場合と逆でも良い。
【００２７】
図５に、本発明による可動式手すりの使用状態の一例を示す。本可動式手すりＡは、図５(b)に示すように、玄関、トイレ、浴室その他の場所の壁面Ｂに取り付けられている垂直方向の固定式手すり１に対して、手すり４を好ましい方向に延び出させることができる一方、手すり４を使用しない場合には、図５(a)に示すように、手すり４を邪魔にならないように収納しておくことができるものである。
【００２８】
壁面Ｂに取り付けられている垂直方向の固定式手すり１の望ましい高さに固定部材２を装着・固定し、この固定部材２の凹部２ａ、２ａと可動部材３の凸部３ａ、３ａとを上下方向から凹凸嵌合させると、前記固定式手すり１に対して可動部材３を回動させることができない。したがって、可動部材３から延び出ている手すり４も前記固定式手すり１に対して動くことがなく、図５(b)に示すように、前記固定式手すり１に対して好ましい方向に延び出させたこの手すり４を握ることにより、玄関、トイレ、浴室その他の場所での上がり下がりや立ち座りの動作を安全に行うことができるので、これらの場合の動作補助に適している。
【００２９】
手すり４は固定式手すり１に対して水平方向となるように可動部材３から延び出させても良いが、固定式手すり１と可動部材３との間に隙間があるので、手すり４が多少傾くのを補正するために、ここでは図２、図４に示すように角度βだけ持ち上げている。
【００３０】
なお、図１、図２、図４および図５において、符号３ｃは前記手すり４の基端を挿入して可動部材３に取り付けるための取付筒であり、この取付筒３ｃを貫通してねじ３ｄをねじ込むことにより、固定式手すり１に対して手すり４を延び出させることができる。
【００３１】
固定部材２の凹部２ａ、２ａと可動部材３の凸部３ａ、３ａとを上下方向から凹凸嵌合させる位置を変えれば、前記手すり４を延び出させる方向を自由に変更できる。
なお、固定部材２、可動部材３は、垂直方向の固定式手すり１の上下両端を壁面Ｂに固定する前に固定式手すり１に予備的に装着しておき、壁面Ｂに上下両端を固定した固定式手すり１の所定位置に固定部材２と可動部材３が来るようにそれぞれを装着する。
【００３２】
一方、図２(b)、図４(b)に示すように、壁面Ｂに取り付け得る垂直方向の固定式手すり１の望ましい高さに装着・固定されている固定部材２から可動部材３を持ち上げ、前記凹部２ａ、２ａと前記凸部３ａ、３ａとの上下方向からの凹凸嵌合を脱着させると、可動部材３を前記固定式手すり１に対して自由に回動させることができる。したがって、可動部材３から好ましい方向に延び出ている手すり４を、図５(b)の位置から図５(a)に示すように、前記固定式手すり１に対して壁面Ｂに沿うように回すことができ、しかる後、図２(a)、図４(a)に示すように、前記凹部２ａ、２ａと前記凸部３ａ、３ａとを再び上下方向から凹凸嵌合させると、手すり４を邪魔にならないように収納することができる。
【００３３】
なお、図５(b)が、前記固定式手すり１に対して前記手すり４を好ましい方向に延び出させた状態である。これに対して、図５(a)が、前記手すり４を前記固定式手すり１に対して好ましい方向に回して邪魔にならないように収納した状態である。
このように、前記固定式手すり１に対して前記手すり４を好ましい方向に延び出させ、玄関、トイレ、浴室その他の場所での上がり下がりや立ち座りの動作補助に供することができ、あるいは、前記手すり４を前記固定式手すり１に対して好ましい方向に回して邪魔にならないように収納することができる。
【００３４】
また、ここでは、固定部材２と可動部材３との間にスペーサ５を装着し、このスペーサ５に設けた囲い部材５ａで前記凹部２ａ、２ａと前記凸部３ａ、３ａとの凹凸嵌合部分を覆い隠すようにした場合が例示されている。すなわち、スペーサ５の上筒５ｂを可動部材３の内周面に装着するとともに、前記上筒５ｂの下端に囲い部材５ａを連設し、この囲い部材５ａで前記凹部２ａ、２ａと前記凸部３ａ、３ａとの凹凸嵌合部分を覆い隠すことができるようにしてある。
そして、前記囲い部材５ａの上端である水平壁部分に、前記凹部２ａ、２ａと前記凸部３ａ、３ａの上下方向からの凹凸嵌合部分を嵌合させるための４つの孔５ｃ、５ｃが形成され、各孔５ｃ、５ｃに前記凸部３ａ、３ａを臨ませることにより、前記凹部２ａ、２ａと前記凸部３ａ、３ａとが上下方向から凹凸嵌合するようにしてある。
【００３５】
このようにすると、前記囲い部材５ａで前記凹部２ａ、２ａと前記凸部３ａ、３ａの上下方向からの凹凸嵌合位置を覆い隠すことができるので、手すり４を握って前記固定式手すり１に対して可動部材３を回動させる際にも手指を詰めることがない。
そして、前記凹部２ａ、２ａと前記凸部３ａ、３ａとを上下方向から確実に凹凸嵌合させることができるので、可動部材３から延び出ている手すり４を確実に固定することができるのみならず、手すり４を延び出させる方向を安全に変更することができる。
【００３６】
なお、図２(a)、図４(a)は、前記凹部２ａ、２ａと前記凸部３ａ、３ａとを上下方向から凹凸嵌合させた位置での縦断面図であり、図２(b)、図４(b)は、垂直方向の固定式手すりに装着・固定されている固定部材から可動部材を持ち上げ、両者の上下方向からの凹凸嵌合を脱着させ回転途中の位置での縦断面図である。
【００３７】
図２に示すように、ねじ６を用いて固定式手すり１に固定部材２を装着・固定しても良いが、ここでは、図３、図４に示すように、固定部材２の内面に摩擦板７を装着し、この摩擦板７を固定式手すり１に押し付けてその摩擦で固定部材２を固定式手すり１に装着・固定させるようにしてある。
可動部材３から延び出ている手すり４を通常の状態で使用している場合には、固定部材２は前記摩擦板７の摩擦により固定式手すり１に装着・固定され、固定部材２が妄りに滑り落ちることはない。
【００３８】
一方、ねじ６を用いて固定式手すり１に固定部材２が装着・固定されている場合において、可動部材３から延び出ている手すり４に必要以上の大きな力が掛かると、固定式手すり１との固定状態がいずれかの部分で破壊され、また、この破壊を防止するために、前記ねじ６の数を増やして固定式手すり１に固定部材２を装着・固定すると、前記事態は生じないが、前記固定式手すり１と壁面Ｂとの固定状態が破壊されることがある。
これに対して、固定部材２を前記摩擦板７の摩擦により固定式手すり１に装着・固定させた場合には、上記のような事態がいずれも生じることはなく、極めて安全である。
【００３９】
さらに、ここでは、図３、図４に示すように、前記摩擦板７の外側に押え板８を備え、さらにその外側に前記押え板８を押え付ける止めねじ９が備えられた場合が例示されている。
このようにした場合には、前記止めねじ９を締め付けることにより前記押え板８が押されるので、この押え板８の内側に位置する摩擦板７を確実かつより強い力で固定式手すり１に押し付けることができる。したがって、この摩擦板７の摩擦により固定部材２を固定式手すり１に確実かつより強い力で装着・固定できる。
【００４０】
なお、図３(a)、(b)に示すように、固定部材２の内面において、押え板８が備えられている側の摩擦板７と対向する位置にも摩擦板７が配置されており、対向する２枚の摩擦板７、７をバランス良く固定式手すり１に押し付け、固定部材２が固定式手すり１により安定して装着・固定させ得るようにしてある。
【符号の説明】
【００４１】
１…固定式手すり、２…固定部材、２ａ…凹部、３…可動部材、３ａ…凸部  、４…手すり、５…スペーサ、５ａ…囲い部材、５ｃ…孔、６…ねじ、７…摩擦板、８…押え板、９…止めねじ、Ａ…可動式手すり、Ｂ…壁面。
【図１】
2012144878.tif 000003
【図２】
2012144878.tif 000004
【図３】
2012144878.tif 000005
【図４】
2012144878.tif 000006
【図５】
2012144878.tif 000007